(57)【要約】【課題】従来の成績表に採点済み答案を一体化した新たな成績表（「まとめ答案」）を作成可能な成績表作成システムを提供する。【解決手段】本成績表作成システムは、受験者の解答が書き込まれた解答用紙の画像データと、採点結果と、個々の問題毎に解答の正誤を示す画像を解答用紙画像に重畳して出力するための位置情報を含む組版情報とを記憶手段に記憶している。そして、受験者を識別する識別子に基づいて、解答用紙画像と採点結果とを受験者毎に取得し、取得された解答用紙画像、採点結果、及び、組版情報に基づいて、各問題に対する解答の正誤を示す画像を解答用紙画像に重畳した採点済み答案画像を作成して、当該採点済み答案画像を含む成績表を出力する手段を備える。【選択図】図７
2008180838.tif 000002
【特許請求の範囲】
【請求項１】
受験者の解答が書き込まれた解答用紙の画像データを、当該受験者を識別する識別子と関連付けて記憶する解答画像記憶手段と、
受験者の採点結果を、当該受験者を識別する識別子と関連付けて記憶する採点結果記憶手段と、
個々の問題毎に解答の正誤を示す画像を解答用紙画像に重畳して出力するための位置情報を含む、組版に関する情報を記憶する組版情報記憶手段と、
受験者を識別する識別子に基づいて、前記解答画像記憶手段に記憶された解答用紙の画像と前記採点結果記憶手段に記憶された採点結果とを受験者毎に取得し、取得された解答用紙画像、採点結果、及び、前記組版情報記憶手段に記憶された組版情報に基づいて、各問題に対する解答の正誤を示す画像を前記解答用紙画像に重畳した採点済み答案画像を作成して、当該採点済み答案画像を含む成績表を出力する成績表作成手段と、
を備える成績表作成システム。
【請求項２】
前記成績表作成手段は、複数科目の採点済み答案画像を集約した成績表を作成する、
ことを特徴とする請求項１記載の成績表作成システム。
【請求項３】
前記成績表作成システムと採点者の使用する採点者端末装置とが、ネットワークを介して相互に接続可能に構成され、
前記成績表作成システムは、
各科目毎に小問単位で一以上のまとまりに分けて、前記解答画像記憶手段に記憶された解答用紙画像データを、少なくとも前記まとまり単位で前記採点者端末装置に送信する振分手段と、
前記まとまり単位で採点された採点結果を前記採点者端末装置から収集し、前記採点結果記憶手段に記録する採点結果収集手段と、
を備えることを特徴とする請求項１又は２記載の成績表作成システム。
【請求項４】
成績表作成処理の動作を制御する制御手段と、成績表を作成するためのデータを記憶する記憶手段と、を備え、前記記憶手段は、個々の問題毎に解答の正誤を示す画像を解答用紙画像に重畳して出力するための位置情報を含む組版に関する情報が記憶されてなる成績表作成システムにおいて、成績表を作成する方法であって、
前記制御手段は、
受験者の解答が書き込まれた解答用紙の画像データを、当該受験者を識別する識別子と関連付けて前記記憶手段に記憶するステップと、
受験者の採点結果を、当該受験者を識別する識別子と関連付けて前記記憶手段に記憶するステップと、
受験者を識別する識別子に基づいて、前記解答用紙画像と前記採点結果とを受験者毎に取得し、取得された解答用紙画像、採点結果、及び、前記記憶手段に記憶された組版情報に基づいて、各問題に対する解答の正誤を示す画像を前記解答用紙画像に重畳した採点済み答案画像を作成して、当該採点済み答案画像を含む成績表を出力するステップと、
を備える成績表作成方法。
【請求項５】
請求項４に記載の成績表作成方法によって作成された、複数科目の採点済み答案画像を集約した成績表。
【請求項６】
請求項４に記載の成績表作成方法をコンピュータに実行させるためのプログラム。
【発明の詳細な説明】
【技術分野】
【０００１】
本発明は、試験等の成績表を作成するための情報処理技術に関する。
【背景技術】
【０００２】
従来、学校や塾において、学習効果を確認するために定期又は不定期に、生徒に試験を実施することが広く行なわれている。通常、このような試験では、受験後しばらく経つと、受験した生徒の成績及びこの成績に応じた学習アドバイス等が表示された成績表が受験者に配付される。そして、生徒はこの成績表を見て、自己の習得度や理解度を確認したり、今後の学習指針に活用したりしている。なお、成績表については、特許文献１等に記載されている。
【特許文献１】特開平６−１８３１８１号公報
【発明の開示】
【発明が解決しようとする課題】
【０００３】
ところで、上記従来の試験では、試験後に、成績表のみが各受験者に配付されるか、採点済み答案用紙と成績表とが別々に配付される。前者では、試験時に回収された答案用紙は回収されたまま返ってこない。そのため、受験者は成績表を見て習得度や理解度を確認できるものの、成績表を見るだけでは、どの問題をどのように間違えたのかを確認することがそもそも困難であるという問題がある。また、後者の場合、受験者のもとに採点済み答案用紙と成績表とが別々に返ってくるため、成績表と答案用紙とを対応付けて管理する手間が煩雑になる。特に、短期間で複数種類の模擬試験を受験した場合には、成績表に表示されている成績が、どの答案に関するものなのかを把握するのも煩わしいことが指摘されている。
【０００４】
本発明は、かかる実情に鑑み、従来の成績表に採点済み答案を一体化した新たな成績表（「まとめ答案」）を作成可能な成績表作成システムを提供することを目的としている。
【０００５】
また、従来の成績表に採点済み答案を一体化した新たな成績表を作成するにあたり、採点者が自宅のＰＣ等で採点を行えるようにし、かつ、一科目の採点を複数の採点者が分担して行うことのできる成績表作成システムを提供することを更なる目的としている。
【課題を解決するための手段】
【０００６】
上記課題を解決するために、本発明による成績表作成システムは、受験者の解答が書き込まれた解答用紙の画像データを、当該受験者を識別する識別子と関連付けて記憶する解答画像記憶手段と、受験者の採点結果を、当該受験者を識別する識別子と関連付けて記憶する採点結果記憶手段と、個々の問題毎に解答の正誤を示す画像を解答用紙画像に重畳して出力するための位置情報を含む、組版に関する情報を記憶する組版情報記憶手段と、受験者を識別する識別子に基づいて、解答画像記憶手段に記憶された解答用紙の画像と採点結果記憶手段に記憶された採点結果とを受験者毎に取得し、取得された解答用紙画像、採点結果、及び、組版情報記憶手段に記憶された組版情報に基づいて、各問題に対する解答の正誤を示す画像を解答用紙画像に重畳した採点済み答案画像を作成して、当該採点済み答案画像を含む成績表を出力する成績表作成手段と、を備える。かかる発明によれば、従来の成績表に採点済み答案を一体化した新たな成績表（「まとめ答案」）を作成可能な成績表作成システムを提供可能になる。
【０００７】
このとき、成績表作成手段は、複数科目の採点済み答案画像を集約した成績表を作成する、ことが好ましい。かかる発明によれば、複数科目の採点済み答案が、一つの成績表に集約されるため、受験者が成績表を活用する際の利便性が向上する。
【０００８】
好適には、成績表作成システムと採点者の使用する採点者端末装置とが、ネットワークを介して相互に接続可能に構成され、成績表作成システムは、各科目毎に小問単位で一以上のまとまりに分けて、解答画像記憶手段に記憶された解答用紙画像データを、少なくともまとまり単位で採点者端末装置に送信する振分手段と、まとまり単位で採点された採点結果を採点者端末装置から収集し、採点結果記憶手段に記録する採点結果収集手段と、を備えることを特徴とする。かかる発明によれば、採点者が自宅のＰＣ等で採点を行えるようになるとともに、一科目の採点を複数の採点者が分担して行うことができるようになる。
【０００９】
また、本発明による成績表作成方法は、成績表作成処理の動作を制御する制御手段と、成績表を作成するためのデータを記憶する記憶手段と、を備え、記憶手段は、個々の問題毎に解答の正誤を示す画像を解答用紙画像に重畳して出力するための位置情報を含む組版に関する情報が記憶されてなる成績表作成システムにおいて、成績表を作成する方法である。このとき、制御手段は、受験者の解答が書き込まれた解答用紙の画像データを、当該受験者を識別する識別子と関連付けて記憶手段に記憶するステップと、受験者の採点結果を、当該受験者を識別する識別子と関連付けて記憶手段に記憶するステップと、受験者を識別する識別子に基づいて、解答用紙画像と採点結果とを受験者毎に取得し、取得された解答用紙画像、採点結果、及び、記憶手段に記憶された組版情報に基づいて、各問題に対する解答の正誤を示す画像を解答用紙画像に重畳した採点済み答案画像を作成して、当該採点済み答案画像を含む成績表を出力するステップと、を備える。
【００１０】
さらに、本発明は、上記成績表作成方法によって作成された、複数科目の採点済み答案画像を集約した成績表であることを特徴としている。
【００１１】
また、本発明のプログラムは、本発明の成績表作成方法の各処理ステップをコンピュータに実行させることを特徴とする。本発明のプログラムは、ＣＤ−ＲＯＭ等の光学ディスク、磁気ディスク、半導体メモリなどの各種の記録媒体を通じて、又は通信ネットワークなどを介してダウンロードすることにより、コンピュータにインストール又はロードすることができる。
【００１２】
なお、本明細書等において、手段とは、単に物理的手段を意味するものではなく、その手段が有する機能をソフトウェアによって実現する場合も含む。また、１つの手段が有する機能が２つ以上の物理的手段により実現されても、２つ以上の手段の機能が１つの物理的手段により実現されてもよい。
【発明の効果】
【００１３】
本発明の成績表作成システムによれば、従来の成績表に採点済み答案を一体化した新たな成績表（「まとめ答案」）を作成できるようになる。この「まとめ答案」により、受験者は、成績表と答案用紙とを対応付ける作業が不要になるとともに、どの問題をどのように間違えたのかを簡単に確認できるようになる。こうして、本発明による「まとめ答案」を利用することによって、試験結果のフィードバックがより効率的に行われるようになり、一層きめ細かな学習指導を行うことが可能となる。
【００１４】
また、本発明の成績表作成システムによれば、「まとめ答案」を作成するにあたり、採点者が自宅のＰＣ等で採点を行えるようになるとともに、一科目の採点を複数の採点者が分担して行うことができるようになる。これにより、採点者は、インターネット等のネットワークに繋がる環境であれば、どこでも採点処理を行うことがきるようになる。また、各採点者は、一科目のうち所定のパートのみの採点をすれば足りるため、採点を効率的に行うことができるようになる。さらに、解答の難易度に応じて、採点者のレベルに応じて担当を振り分けることもできるようになる。
【発明を実施するための最良の形態】
【００１５】
以下、本発明の実施の形態について図面を参照しつつ詳細に説明する。なお、同一の要素には同一の符号を付し、重複する説明を省略する。
【００１６】
図１は、本発明の一実施形態に係る成績表作成システム１０の概略構成を示す図である。図１に示すように、本成績表作成システム１０は、成績処理制御手段１４と、採点処理制御手段１５と、記憶手段１７とを含んで構成され、また、解答用紙読取装置１２と、成績表出力装置１８とに接続されている。
【００１７】
解答用紙読取装置１２は、試験等の解答用紙の画像を読み取って画像データを出力するための装置であり、例えば、スキャナを適用することができる。例えば、試験会場などで受験者各人が解答を記入した答案（解答用紙）を収集して、これを解答用紙読取装置１２で読み取る。解答用紙読取装置１２によってスキャニングされた解答用紙の画像データは、成績処理制御手段１４に渡される。なお、本実施形態では、個々の解答用紙を識別するための識別情報を含むバーコードを、予め各解答用紙に印刷しておき、このバーコードで個々の答案を管理する。
【００１８】
成績処理制御手段１４は、受験者の解答及び採点結果を収集・管理して、成績表を作成する処理を制御する機能を有する。成績処理制御手段１４は、受付手段２２と、成績表作成手段２４とを備える。なお、成績処理制御手段１４は、必要に応じて解答用紙読取装置１２や成績表出力装置１８の動作を制御可能であることが好ましい。
【００１９】
受付手段２２は、記憶手段１７に記憶させるデータの入力を受け付ける機能を有する。例えば、受付手段２２は、解答用紙読取装置１２から出力された解答用紙の画像データを受領して、記憶手段１７の解答画像記憶手段３２に格納する。また、受付手段２２は、オペレータ端末装置１３から入力された組版に関する情報及び採点者の振分情報を受領して、それぞれ記憶手段１７の組版情報記憶手段３４及び振分情報記憶手段３６に格納する。さらに、受付手段２２は、オペレータ端末装置１３から入力された模範解答、講評文、コメント文等のデータを受領して、記憶手段１７に格納する。
【００２０】
なお、オペレータ端末装置１３は、成績表作成システム１０のオペレータが使用するコンピュータであり、成績表作成システム１０に対して、種々の処理を指示したり、記憶手段１７に記憶させるデータを入力したりする。このようなオペレータ端末装置１３としては、一般のパーソナル・コンピュータ（ＰＣ）や携帯電話機、携帯情報端末（ＰＤＡ）、その他のコンピュータを用いることができる。
【００２１】
成績表作成手段２４は、記憶手段１７に記憶された種々のデータ（パラメータを含む）を用いて、受験者毎の個別の成績表のデータを作成する機能を有する。本実施形態では、成績表作成手段２４は、各受験者の解答用紙の画像データと、当該解答の採点結果と、成績表作成用のパラメータとを記憶手段１７から取得して、受験者各人の採点済み答案画像と従来の成績表とを一体化した「まとめ答案」の成績表を作成する。なお、まとめ答案の詳細は後述する。
【００２２】
採点処理制御手段１５は、受験者の解答を採点するための処理を制御する機能を有し、振分手段２６と、採点結果収集手段２８とを備えている。また、採点処理制御手段１５は、ウェブサーバとしての機能を備え、ネットワークＮを介して採点者端末装置１６と通信可能に構成される。
【００２３】
振分手段２６は、記憶手段１７に記憶された振分情報に基づいて、受験者の解答用紙画像を小問単位で切り取って、複数の採点者に対して、各採点者の採点担当分を振り分ける機能を有する。
【００２４】
採点結果収集手段２８は、各採点者が受験者各人の解答を小問単位で採点した採点結果データを採点者端末装置１６から収集して、記憶手段１７の採点結果記憶手段３８に格納する機能を有する。
【００２５】
なお、採点者端末装置１６は、採点者が使用するコンピュータであり、好ましくはウェブブラウザを備えている。採点者端末装置１６は、成績表作成システム１０にアクセスして、採点処理制御手段１５の提供するウェブサーバ機能を用いて、各採点者の担当分の解答用紙画像を取得して、小問単位で採点結果を採点システム１６に返すようになっている。このような採点者端末装置１６としては、一般のパーソナル・コンピュータ（ＰＣ）や携帯電話機、携帯情報端末（ＰＤＡ）、その他のコンピュータを用いることができる。
【００２６】
ネットワークＮは、成績表作成システム１０と複数の採点者端末装置１６との間で情報を送受信するための通信回線である。例えば、インターネット、その他の通信回線であり、有線であるか無線であるかを問わない。
【００２７】
記憶手段１７は、解答用紙読取装置１２で読み取った解答用紙の画像データ、オペレータ端末装置１３から入力されたパラメータや振分情報、及び、採点システム１６から受領した採点結果、を含む、成績表を作成するための種々のデータを記憶する機能を有する。また、記憶手段１７は、解答画像記憶手段３２と、組版情報記憶手段３４と、振分情報記憶手段３６と、採点結果記憶手段３８とを含む。記憶手段１７は、他にも各種マスタデータ等を記憶可能である。
【００２８】
解答画像記憶手段３２は、解答用紙読取装置１２で読み取った解答用紙の画像データを、受験したテストの種類、科目、及び受験者を識別する識別子（例えば、受験番号）と関連付けて記憶する。本実施形態では、予めバーコードを印刷した解答用紙に、受験者は解答を記入するようになっている。このバーコードにより、受験したテストの種類、科目、受験者の受験番号等を特定できるようになっている。
【００２９】
組版情報記憶手段３４は、成績表を作成する際の組版に関する情報を記憶する。本実施形態では、各人が解答を記入した解答用紙の画像データに、個々の問題に対する解答の正誤を示す画像（例えば、マルやバツの画像）を重畳した採点済み答案画像を含む成績表（まとめ答案）を出力するため、個々の問題毎に、解答用紙画像のどの位置に解答の正誤を示す画像を出力すべきかを示す位置座標データを、パラメータとして記憶している。また、組版情報記憶手段３４には、他にも、成績表を組版するためのデータが記憶される。
【００３０】
振分情報記憶手段３６は、受験者から収集した解答を採点するために、解答用紙の画像データを複数の採点者に振り分けるための振分情報を記憶している。本実施形態では、一科目の解答用紙を、小問単位で一以上のまとまりに分ける。これにより、各採点者は小問単位で採点を行えば足りる。
【００３１】
採点結果記憶手段３８は、採点処理制御手段１５から受領した採点結果、すなわち各問題毎の解答の正誤を、受験したテストの種類、科目、及び受験者を識別する識別子と関連付けて記憶する機能を有する。
【００３２】
成績表出力装置１８は、成績表作成手段２４によって作成された成績表データを受領して、「まとめ答案」の成績表を印刷出力するための装置であり、例えば、プリンタを適用することができる。
【００３３】
なお、成績表作成システム１０は、単一のシステムより構成されるものであっても、ネットワーク上に分散した複数のシステムより構成されるものであってもよい。例えば、成績処理制御手段１４と採点処理制御手段１５とを別のシステムとして構成してもよい。また、成績表作成システム１０は、コンピュータを用いて実現することが好ましい。なお、コンピュータは、コンピュータ各部の動作の制御及び演算を行うＣＰＵ、ＲＯＭやＲＡＭ等のメモリ、各種の情報を格納する外部記憶装置、入出力インタフェース、通信インタフェース及びこれらを結ぶバスを備える専用又は汎用のコンピュータを適用することができる。そして、ＣＰＵが、メモリまたは外部記憶装置などに記憶された所定のプログラムを実行することにより、コンピュータを成績表作成システム１０として機能させてもよい。
【００３４】
次に、上記のように構成される成績表作成システム１０の動作の概要について説明する。
【００３５】
図２は、成績表作成システム１０による処理の流れを示すフローチャートである。図３は、採点処理及び成績処理の操作の流れを示す図である。図４は、採点の振分け処理を示す図である。図５は、組版情報を含む成績表作成パラメータや講評文等の登録処理を示す図である。図６は、成績表の作成及び印刷処理の流れを示す図である。図９は、解答用紙のサンプルである。
【００３６】
まず、学校や塾、家庭、試験会場等にて模擬試験を行った後、受験者が各自の解答を記入した解答用紙が回収され、解答用紙読取装置１２でスキャニングされる。そして、スキャニングされた解答用紙の画像データは、解答用紙に印刷されたバーコードを読み取ったコード情報と対応付けて、記憶手段１７の解答画像記憶手段３２に格納される（Ｓ４１）。
【００３７】
解答用紙には、解答用紙ごとに異なるコード情報を埋め込んだバーコード７１が予め印刷されている。本成績表作成システム１０は、このコード情報に基づいて、受験者の受験番号を管理する。また、解答用紙には、バーコード７１以外にも、種々の識別符号が予め印刷されている。本実施形態では、解答用紙の下方に１５個並んだ「■」と「□」の識別符号７２により、模擬試験の種類・開催回、及び科目（教科名）を識別できるようになっている。また、解答用紙の四隅に位置する「■」の印７３は、スキャニング時の位置補正のために利用される。さらに、選択問題がある場合には、読取マーク７４によって、受験者がいずれの問題を選択したかを識別する。なお、解答用紙を受験者に配付する際に、各受験者の受験番号に対応するバーコードが印刷された解答用紙を配付してもよいし、解答用紙を回収後に、バーコードと受験番号とをオペレータが対応付けるようにしてもよい。
【００３８】
なお、解答用紙をスキャニングする際、氏名欄を読み取らないことが好ましい。本実施形態において、成績表作成システム１０は、受験者の解答をバーコードで管理していて、氏名で管理する必要はない。そして、解答用紙を全てバーコードで管理することによって、全受験者を公平かつ均等に扱うことができるため、公正な採点を行うことができるという効果がある。
【００３９】
一方、模擬試験と並行又は前後して、成績表作成システム１０のオペレータは、オペレータ端末装置１３を用いて、解答用紙の振分情報を入力して、記憶手段１７の振分情報記憶手段３６に格納する（Ｓ４２）。この振分情報とは、一科目（教科）の問題を複数のパート（小問単位のまとまり）に分けるための情報であり、これにより、一科目の採点を複数の採点者で分担して行うことができるようになる。
【００４０】
採点の振分け処理に関して、図４に示す例では、英語の採点を４人の採点者が分担して行う。このとき、振分情報としては、例えば、「６月Ｖもぎ」の「英語」は、「大問１」５１、「大問２」５２、「大問３」５３、「大問４」５４の４つのパートが規定される。また、振分情報は、複数の採点者のうち誰がどのパートの採点をどの分量行うかを規定する情報を含むことが好ましい。この場合、振分情報としては、例えば、採点者Ａは英語の「大問１」５１のパートを受験番号○○番から××番まで採点する、といった情報が規定されることになる。なお、採点者のレベルを予めランク付けしておけば、解答の難易度（例えば、記号選択式か、文章記入式か等）に応じて採点者をレベル別に振り分けることもできる。
【００４１】
こうして、解答用紙の画像データ及び振分情報が記憶手段１７に格納された後、採点処理が行われる（Ｓ４３）。本実施形態では、採点者は、インターネットを介して採点システムにアクセスして、採点することができる点に特徴がある。
【００４２】
採点者は、採点者端末装置１６のウェブブラウザを用いて、成績表作成システム１０の採点処理制御手段１５の提供する採点システムのウェブサイトにネットワークＮを介してアクセスする。そして、採点者がユーザＩＤ及びパスワードを入力して採点システムにログインすると、振分手段２６は、振分情報記憶手段３６に記憶された振分情報に基づいて、当該採点者が採点を担当するよう割り当てられた解答用紙を特定し、当該割り当てられた解答用紙の画像データを解答画像記憶手段３２から取得して、採点者端末装置１６に送信する。
【００４３】
採点者端末装置１６には、解答用紙の画像データが１枚ずつ順次表示される。このとき、採点者が採点を行う問題の部分（例えば、「大問１」５１等）が、ハイライト表示されるなど採点者が識別できるように表示される。そして、採点者は自分が採点を担当するパートのみ採点を行う。こうして、採点者が順次表示される解答用紙画像に基づいて、自分の担当分を採点する。各採点者は、一科目のうち所定のパートのみの採点をすれば足りるため、採点を効率的に行うことができる。
【００４４】
採点結果は、採点結果収集手段２８によって収集され、採点結果記憶手段３８に格納される。このとき、１枚１枚の採点を行うたびに採点結果を収集、記録してもよいし、複数枚の解答用紙の採点結果をまとめて収集、記録してもよい。なお、解答用紙はバーコードのコード情報によって管理されていて、採点結果もこのコード情報によって管理される。
【００４５】
全ての解答用紙の採点を終えた後、成績の統計データを集計したり、受験者の解答の傾向等を分析したりするための成績処理が実行される（Ｓ４４）。この成績処理によって、科目毎の平均点、各問題の正答率、受験者個別の偏差値、全国での成績等を集計して、記憶手段１７に格納する。なお、記憶手段１７には、過去に行われた試験の統計データが蓄積されているので、この過去のデータと比較して今回の試験結果を分析することもできる。
【００４６】
また、成績処理と並行又は前後して、オペレータ端末装置１３を用いて、成績表を組版するための組版情報を組版情報記憶手段３４に登録する（Ｓ４５）。例えば、図５に示すように、オペレータは、成績表を作成するための組版情報を含む各種のパラメータを作成して、記憶手段１７に登録する。また、成績表作成パラメータの他にも、オペレータ端末装置１３を用いて、試験に関する様々なデータが記憶手段１７に格納される。例えば、図５に示すように、各科目の担当者等は、各受験者の採点結果や成績処理によって得られた統計データや分析結果を参照等して、講評文やコメント文、模範解答等を登録・修正する。
【００４７】
なお、組版情報とは、記憶手段１７に記憶されている解答用紙画像データ、採点結果、統計データ等のデータを成績表上のどこにどのように配置するかを規定するための情報であり、例えば、各科目毎の解答用紙画像データを配置する位置座標及び画像データを出力するサイズ、各科目・問題毎の正答率を示すグラフを配置する位置座標及びそのサイズ、受験者の成績の推移を示すグラフを配置する位置座標及びそのサイズ等が規定される。また、本実施形態では、図７に示すように、成績表に各受験者の解答用紙を集約する点（「まとめ答案」）に特徴を有している。このとき、成績表に印刷されるまとめ答案には、通常の紙ベースの採点において朱筆でマル又はバツが記入されるのと同様に、問題毎に解答の正誤を示すマル又はバツが表示される。組版情報は、マル又はバツの画像データと、成績表上にマル又はバツの画像を表示させるサイズ及び各問題単位でマル又はバツを表示させるための位置座標に関する情報も含んでいる。
【００４８】
そして最後に、オペレータの指示等を受けて、成績表作成手段２４は、記憶手段１７に記憶されているデータから必要なものを取得して、受験者毎の成績表データを作成し、成績表出力装置１８によって、所定の用紙等に「まとめ答案」の成績表を印刷する（Ｓ４６）。なお、こうして印刷された成績表は、各受験者のもとに届けられる。
【００４９】
成績表の作成及び印刷処理は、図６に示すように、オペレータ端末装置１３によって成績表の作成が指示等されると、バーコード７１のコード情報及び識別符号７２に基づいて各受験者毎に、全科目の解答用紙画像データ、全科目の採点結果、及び組版情報を含む成績表作成パラメータを含むデータが抽出される。そして、これらの抽出されたデータに基づいて、１枚の成績表に、全科目の解答用紙の画像を集約し、かつ、１つ１つの解答の正誤を示すマル又はバツの画像を解答用紙画像に重畳させた「まとめ答案」の成績表を作成する。なお、「まとめ答案」の成績表には、解答用紙をスキャニングした画像及び各解答の正誤を示す画像の他にも、最近の成績の推移、問題の正答率、科目毎の課題を示すコメント文等、従来の成績表に表示されるデータも含まれている。
【００５０】
図７は、本成績表作成システム１０によって印刷出力される「まとめ答案」、すなわち採点済み答案を集約した成績表、の全体図の一例である。図７に示す例では、国語６１、作文６２、社会６３、数学６４、英語６５、理科６６の採点済み答案が成績表に集約されている。さらに「まとめ答案」には、採点済み答案に加えて、各科目毎の成績の推移を示すグラフや、問題毎の正答率を示す図表など、従来の成績表に表示されるグラフ・図表やデータ等が、成績表の欄６７にまとめて出力される。このように、本成績表作成システム１０によって印刷出力される「まとめ答案」は、各受験者に配付される各々の成績表に、採点の集計結果や試験全体の各種統計データ等が印刷されることに加え、受験者が受験した科目の採点済み答案のイメージデータを集約して印刷される。
【００５１】
図８は、「まとめ答案」の他の例を示す図であり、採点済み答案の一部６８と、欄６７に印刷された問題の正答率や受験者が復習すべき学習項目のアドバイスの一部６９を拡大表示したものである。図８に示すように、「まとめ答案」は、一枚の成績表に採点済み答案画像と各種統計データ等が一体的に表示されるため、受験者が試験の復習をするとき、自分の答案と、その採点結果、及び統計データやコメント文等を簡単に見比べることができるようになる。このように、本発明によれば、成績表に採点済み答案が集約されているので、受験者は、どの問題でどのように間違えたかといった復習作業を簡単に行うことができるようになり、試験結果のフィードバックをより効率的に行うことができるようになる。
【００５２】
また、「まとめ答案」を印刷出力する際に、受験者の弱い分野をハイライト表示したり、試験結果に応じた復習問題を提示したりすると、成績表の利用性がさらに向上し、受験者の学習効果の一層の向上が期待できる。
【００５３】
なお、本発明は、上記した実施の形態に限定されるものではなく、本発明の要旨を逸脱しない範囲内において、他の様々な形で実施することができる。このため、上記実施形態はあらゆる点で単なる例示にすぎず、限定的に解釈されるものではない。例えば、上述の各処理ステップは処理内容に矛盾を生じない範囲で任意に順番を変更して又は並列に実行することができる。
【００５４】
また、本実施形態では、解答用紙読取装置１２及び成績表出力装置１８が、成績表作成システム１０に接続される構成としたが、成績表作成システム１０に解答用紙読取装置１２及び成績表出力装置１８を組み込んだ構成としてもよい。
【００５５】
さらに、本実施形態では、解答用紙ごとに異なるバーコードが予め印刷されているものとしたが、試験実施後に受験者から解答用紙を回収した後に、バーコードを貼付または印刷してもよい。また、バーコードに換えて、二次元コード、その他の光学的に読み取り可能なコード情報を利用してもよいし、ＩＣタグ等の電磁的に読み取り可能なチップを利用してもよい。
【００５６】
また、本実施形態では、採点者端末装置１６において、採点を行う部分がハイライト表示されるものとしたが、採点を行う部分が採点者に識別できるように表示されるのであれば、如何なる表示形態でもよい。例えば、採点を行う部分のみを表示させるようにしてもよいし、採点を行わない部分をグレイアウト（網掛け）してもよい。
【図面の簡単な説明】
【００５７】
【図１】成績表作成システム１０の概略構成を示す図である。
【図２】成績表作成システム１０による処理の流れを示すフローチャートである。
【図３】採点処理及び成績処理の操作の流れを示す図である。
【図４】採点の振分け処理を示す図である。
【図５】組版情報を含む成績表作成パラメータや講評文等の登録処理を示す図である。
【図６】成績表の作成及び印刷処理の流れを示す図である。
【図７】「まとめ答案」の全体図の一例である。
【図８】「まとめ答案」の他の例を示す図である。
【図９】解答用紙のサンプルである。
【符号の説明】
【００５８】
１０   成績表作成システム
１２   解答用紙読取装置
１３   オペレータ端末装置
１４   成績処理制御手段
１５   採点処理制御手段
１６   採点者端末装置
１７   記憶手段
１８   成績表出力装置
２２   受付手段
２４   成績表作成手段
２６   振分手段
２８   採点結果収集手段
３２   解答画像記憶手段
３４   組版情報記憶手段
３６   振分情報記憶手段
３８   採点結果記憶手段
【図１】
2008180838.tif 000003
【図２】
2008180838.tif 000004
【図３】
2008180838.tif 000005
【図４】
2008180838.tif 000006
【図５】
2008180838.tif 000007
【図６】
2008180838.tif 000008
【図７】
2008180838.tif 000009
【図８】
2008180838.tif 000010
【図９】
2008180838.tif 000011